(57)【特許請求の範囲】
【請求項１】
車両に搭載され、第一描画手段および第二描画手段によってそれぞれ生成される第一画像および第二画像を表示する車両用表示装置であって、
前記第一描画手段による前記第一画像と前記第二描画手段による前記第二画像とが並列された表示画像を生成する合成手段と、
前記合成手段によって合成された前記表示画像を表示する表示画面であり、前記第一画像を表示する第一表示領域、並びに前記第二画像を前記第一画像と並列表示する第二表示領域を有し、それら表示領域のうちアクティブ領域として選定される一方の表示領域の画像にポインタ画像を重畳して表示する表示画面と、
前記表示画面における前記ポインタ画像の表示位置を移動させるための移動要求、並びに前記ポインタ画像の特定の表示位置に関連付けられた表示態様へ前記表示画面の表示態様を変更するための変更要求が、ユーザ要求として入力される入力部と、
前記アクティブ領域において前記第一表示領域及び前記第二表示領域の境界線に沿う内縁部に前記ポインタ画像の表示位置を移動させる前記移動要求が、前記入力部へ入力された場合に、前記アクティブ領域を前記第一表示領域及び前記第二表示領域の一方から他方へ切り替えると共に、当該一方の表示領域を非アクティブ領域に切り替える切替手段と、
を備え、
前記第一描画手段及び前記第二描画手段のうち、前記切替手段により前記アクティブ領域に切り替えられた表示領域の画像を生成する描画手段は、当該アクティブ領域の画像に対する前記ポインタ画像の重畳を開始して、前記ポインタ画像の表示位置での前記変更要求に応じて当該アクティブ領域の画像の表示態様を変更し、
前記第一描画手段及び前記第二描画手段のうち、前記切替手段により前記非アクティブ領域に切り替えられた表示領域の画像を生成する描画手段は、当該非アクティブ領域の画像に対する前記ポインタ画像の重畳を中止することを特徴とする車両用表示装置。
【請求項２】
前記切替手段は、予め設定される設定時間よりも長く前記内縁部に前記ポインタ画像を位置させる前記移動要求が、前記入力部に入力された場合に、前記アクティブ領域を前記第一表示領域及び前記第二表示領域の一方から他方へ切り替えると共に、当該一方の表示領域を非アクティブ領域に切り替えることを特徴とする請求項１に記載の車両用表示装置。
【請求項３】
前記内縁部に前記ポインタ画像を位置させる前記移動要求が前記入力部に入力された場合に、前記入力部に対して、当該移動要求を入力する操作に対する反力を印加する反力印加部をさらに備えることを特徴とする請求項２に記載の車両用表示装置。
【請求項４】
前記表示画面に配列される複数の表示画素のうち、前記第一表示領域に属する表示画素の数は、前記第一描画手段によって生成される前記第一画像の画素数に応じて規定され、
前記第二描画手段は、前記表示画面の表示画素の数と、前記第一表示領域に属する表示画素の数との差を補完する画素数にて、前記第二画像を生成することを特徴とする請求項１〜３のいずれか一項に記載の車両用表示装置。
【請求項５】
前記第一描画手段は、前記車両の乗員による運転操作を支援するナビゲーション画像を前記第一画像として生成するナビゲーション装置であることを特徴とする請求項４に記載の車両用表示装置。
【発明の詳細な説明】
【技術分野】
【０００１】
本発明は、車両に搭載され、第一描画手段および第二描画手段によってそれぞれ生成される第一画像および第二画像を表示する車両用表示装置に関する。
【背景技術】
【０００２】
従来、車両の乗員に向けて設置される表示器の表示画面を複数の表示領域に分け、当該複数の表示領域の各々に画像を表示する装置が知られている。このような装置の一種として、例えば特許文献１に開示の表示装置では、モニタ部に、例えばナビゲーションコントローラによって生成されるナビゲーション画像、テレビチューナ及びデコーダによって生成されるテレビ画像等が並列表示される。
【０００３】
また特許文献２に開示の構成において、車載操作システムと接続されているナビゲーションＥＣＵは、ナビゲーション機能に関するナビゲーション画像とオーディオ機能を制御するオーディオ画像とが並列された画像を生成する。表示器の表示画面は、ナビゲーションＥＣＵによって生成される画像に、ポインタを重畳して表示する。そして、ナビゲーションＥＣＵと接続されている車載操作システムには、表示画面におけるポインタの表示位置を移動させるための移動要求、並びに当該ポインタの特定の表示位置に関連付けられた表示態様へ表示画面の表示態様を変更するための変更要求が、ユーザ要求として入力される。
【０００４】
以上の構成において、表示器の表示画面で互いに並列表示されるナビゲーション画像及びオーディオ画像のうち例えばナビゲーション画像に、ポインタが重畳されている状態とする。この状態下、オーディオ画像の表示されている表示領域にポインタの表示位置を移動させる移動要求が車載操作システムへ入力される。すると、移動要求に応じて、ポインタは、オーディオ画像の表示されている表示領域を移動可能となる。また、オーディオ画像の表示態様は、車載操作システムに入力される変更要求に応じて変更可能となる。
【先行技術文献】
【特許文献】
【０００５】
【特許文献１】特開平０６−１９５０５６号公報
【特許文献２】特開２０１０−１０８２５５号公報
【発明の概要】
【発明が解決しようとする課題】
【０００６】
特許文献２に開示の構成では、ナビゲーション画像及びオーディオ画像が同一の描画手段であるナビゲーションＥＣＵによって生成されている。故に、ナビゲーションＥＣＵにおいて、ポインタを重畳する位置を変更すれば、表示画面におけるポインタは、ナビゲーション画像を表示している表示領域からオーディオ画像を表示している表示領域に自由に移動することができる。このように、ポインタの表示位置を二つの表示領域において一方から他方に移動させることは、特許文献２に開示の構成では容易に行い得た。
【０００７】
ここで、近年、表示器の大型化及び高精細化により、当該表示器の表示可能な表示画素数が著しく増加している。故に、描画手段によって生成される画像の画素数も、表示器の表示画素数に対応するよう引き上げられる必要がある。すると、特許文献２に開示の構成のように、同一の描画手段によって画素数の増加した複数の画像を生成し、これらの画像を並列表示することが、当該描画手段の処理能力上困難になる事態が生じてきた。故に、異なる描画手段によって生成された複数の画像を並列表示する車両用表示装置に対する要望が高まりつつある。
【０００８】
しかし、特許文献１に開示の表示装置のように、ナビゲーション画像及びテレビ画像が互いに異なる描画手段によって生成されている形態では、操作性が悪化するという懸念がある。具体的に説明すると、ポインタ画像の表示位置を、ナビゲーション画像を表示している表示領域からテレビ画像を表示している表示領域に移動させるための移動要求が、入力部に入力されても、ポインタ画像は、テレビ画像を表示している表示領域を移動可能にはならない。故に、テレビ画像の表示態様を、入力部に入力される変更要求に応じて変更させることもできない。このように、並列表示される複数の画像が異なる画像手段によって生成される車両用表示装置では、操作性が悪化する懸念がある。
【０００９】
本発明は、上記問題点に鑑みてなされたものであって、その目的は、複数の画像が異なる描画手段によって生成されても、高い操作性を獲得できる車両用表示装置を提供することである。
【課題を解決するための手段】
【００１０】
上記目的を達成するために、請求項１に記載の発明では、車両に搭載され、第一描画手段および第二描画手段によってそれぞれ生成される第一画像および第二画像を表示する車両用表示装置であって、第一描画手段による第一画像と第二描画手段による第二画像とが並列された表示画像を生成する合成手段と、合成手段によって合成された表示画像を表示する表示画面であり、第一画像を表示する第一表示領域、並びに第二画像を第一画像と並列表示する第二表示領域を有し、それら表示領域のうちアクティブ領域として選定される一方の表示領域の画像にポインタ画像を重畳して表示する表示画面と、表示画面におけるポインタ画像の表示位置を移動させるための移動要求、並びにポインタ画像の特定の表示位置に関連付けられた表示態様へ表示画面の表示態様を変更するための変更要求が、ユーザ要求として入力される入力部と、アクティブ領域において第一表示領域及び第二表示領域の境界線に沿う内縁部にポインタ画像の表示位置を移動させる移動要求が、入力部へ入力された場合に、アクティブ領域を第一表示領域及び第二表示領域の一方から他方へ切り替えると共に、当該一方の表示領域を非アクティブ領域に切り替える切替手段と、を備え、第一描画手段及び第二描画手段のうち、切替手段によりアクティブ領域に切り替えられた表示領域の画像を生成する描画手段は、当該アクティブ領域の画像に対するポインタ画像の重畳を開始して、ポインタ画像の表示位置での変更要求に応じて当該アクティブ領域の画像の表示態様を変更し、第一描画手段及び第二描画手段のうち、切替手段により非アクティブ領域に切り替えられた表示領域の画像を生成する描画手段は、当該非アクティブ領域の画像に対するポインタ画像の重畳を中止することを特徴とする車両用表示装置とする。
【００１１】
この発明において、まず、第一画像を表示する第一表示領域、並びに第二画像を当該第一画像と並列表示する第二表示領域のうち、アクティブ領域として選定される一方の表示領域の画像にポインタ画像が重畳された状態とする。この状態下、アクティブ領域において第一表示領域及び第二表示領域の境界線に沿う内縁部に、ポインタ画像の表示位置を移動させる移動要求が入力部へ入力される。すると、切替手段は、アクティブ領域を第一表示領域及び第二表示領域の一方から他方へ切り替えると共に、当該一方の表示領域を非アクティブ領域に切り替える。
【００１２】
第一画像を生成する第一描画手段及び第二画像を生成する第二描画手段のうち、切替手段により非アクティブ領域に切り替えられた表示領域の画像を生成する描画手段は、非アクティブ領域の画像に対するポインタ画像の重畳を中止する。一方、第一描画手段及び第二描画手段のうち、切替手段によりアクティブ領域に切り替えられた表示領域の画像を生成する描画手段は、当該アクティブ領域の画像に対するポインタ画像の重畳を開始する。これらにより、表示画面において、ポインタ画像は、非アクティブ領域となった表示領域に表示される画像から消えるとともに、アクティブ領域となった表示領域に表示される画像に現れる。そして、ポインタ画像は、入力部に入力される移動要求に応じてアクティブ領域となった表示領域を移動可能となる。また、アクティブ領域に表示されている画像の表示態様は、入力部に入力される変更要求に応じて、ポインタ画像の特定の表示位置に関連付けられた表示態様へ変更可能となる。
【００１３】
以上のように、第一画像及び第二画像がそれぞれ第一描画手段および第二描画手段によって生成されていても、入力部に入力されるポインタ画像の移動要求により、第一表示領域及び第二領表示域のアクティブ領域又は非アクティブ領域への切り替えは行われ得る。故に、ポインタ画像は、第一表示領域及び第二表示領域を移動することができる。そして、アクティブ領域においては、変更要求によって当該アクティブ領域に表示されている画像の表示態様を変更することができる。したがって、第一画像及び第二画像が異なる描画手段によって生成されても、車両用表示装置は高い操作性を獲得することができる。
【００１４】
車両に搭載される車両用表示装置では、ポインタ画像を移動させるための車両の乗員による入力部の操作は、車両の振動等に起因して、緻密に行われ難い。故に、アクティブ領域を第一表示領域及び第二表示領域の一方から他方へ切り替える意思が乗員に無いにもかかわらず、第一表示領域及び第二表示領域の境界線に沿う内縁部にポインタ画像の表示位置を移動させる移動要求が偶発的に入力部に入力される場合がある。
【００１５】
そこで、請求項２に記載の発明では、切替手段は、予め設定される設定時間よりも長く内縁部にポインタ画像を位置させる移動要求が、入力部に入力された場合に、アクティブ領域を第一表示領域及び第二表示領域の一方から他方へ切り替えると共に、当該一方の表示領域を非アクティブ領域に切り替えることを特徴とする。
【００１６】
この発明では、第一表示領域及び第二表示領域の境界線に沿う内縁部に、予め設定される設定時間よりも長くポインタ画像を位置させなければ、切替手段は、アクティブ領域を第一表示領域及び第二表示領域の一方から他方へ切り替えない。故に、第一表示領域及び第二表示領域の境界線に沿う内縁部にポインタ画像の表示位置を移動させる移動要求が偶発的に入力部に入力されることにより、アクティブ領域が切り替えられる事態は生じ難くなる。対して、アクティブ領域を切り替える意思を持って、予め設定される設定時間よりも長く内縁部にポインタ画像を位置させる移動要求を入力部に入力すれば、アクティブ領域は、第一表示領域及び第二表示領域の一方から他方へ切り替わる。以上により、車両用表示装置は、アクティブ領域を切り替える旨の乗員の意思を忠実に反映したうえで、当該アクティブ領域の切り替えを行い得る。したがって、車両用表示装置の操作性はさらに向上する。
【００１７】
請求項３に記載の発明によれば、内縁部にポインタ画像を位置させる移動要求が入力部に入力された場合に、入力部に対して、当該移動要求を入力する操作に対する反力を印加する反力印加部をさらに備えることを特徴とする。
【００１８】
この発明によれば、第一表示領域及び第二表示領域の境界線に沿う内縁部にポインタ画像を位置させる移動要求が入力部に入力されると、反力印加部は、当該入力部に対して、当該移動要求を入力する操作に対する反力を印加する。故に、アクティブ領域を切り替える意思が操作を入力する乗員に有る場合にだけ、反力印加部によって印加される反力に抗して、内縁部にポインタ画像を位置させる移動要求が入力され続ける蓋然性が高くなる。故に、車両用表示装置は、ポインタ画像の表示位置を切り替える旨の乗員の意思をさらに忠実に反映したうえで、アクティブ領域を切り替えることができる。したがって、車両用表示装置の操作性はさらに高いものとなる。
【００１９】
請求項４に記載の発明では、表示画面に配列される複数の表示画素のうち、第一表示領域に属する表示画素の数は、第一描画手段によって生成される第一画像の画素数に応じて規定され、第二描画手段は、表示画面の表示画素の数と、第一表示領域に属する表示画素の数との差を補完する画素数にて、第二画像を生成することを特徴とする。
【００２０】
この発明において、表示画面に配列される複数の表示画素のうち、第一表示領域に属する表示画素の数は、第一描画手段によって生成される第一画像の画素数に応じて規定される。そして、第一表示領域に属する表示画素の数と、表示画面に配列される表示画素の数との差は、当該差を補完する画素数にて生成される第二画像により、補完される。故に、第一描画手段によって生成され得る第一画像の画素数が、表示画面に配列される表示画素の数より少なくても、車両用表示装置は、当該第一画像を用いつつ、当該表示画面の表示画素をすべて活用し得る。
【００２１】
以上の構成では、表示画面に配列される表示画素の数を増加させた場合であっても、第二描画手段によって生成される第二画像の画素数を調整することにより、第一画像の生成に関する既存の第一描画手段は流用され得る。故に、車両用表示装置の設計に係わる作業量は低減され得る。したがって、高い操作性を備えた車両用表示装置の提供が容易になる。
【００２２】
請求項５に記載の発明では、第一描画手段は、車両の乗員による運転操作を支援するナビゲーション画像を第一画像として生成するナビゲーション装置であることを特徴とする。
【００２３】
一般に、ナビゲーション装置によって生成されるナビゲーション画像は、非常に複雑な処理によって生成されている。故に、ナビゲーション画像の画素数を向上させるには、第一描画手段の処理能力の向上と、仕様変更のための多くの作業が発生し得る。しかし、既存のナビゲーション装置によって生成されるナビゲーション画像を第一画像として用いる車両用表示装置とすることにより、表示画素の増加に対応させつつ、ナビゲーション装置の処理能力の維持と仕様変更のための作業の省略とが図られ得る。故に、高い操作性を備えた車両用表示装置の提供がさらに容易になる。
【図面の簡単な説明】
【００２４】
【図１】本発明の一実施形態による車両用表示装置の構成を概略的に示す構成図である。
【図２】本発明の一実施形態による車両用表示装置によって生成される表示画像を説明するための図であって、主画像としてナビゲーション画像が、補完画像としてオーディオ画像が選択された場合の表示画像を示す図である。
【図３】本発明の一実施形態による車両用表示装置によって生成される表示画像を説明するための図であって、主画像としてエアコン情報画像が、補完画像としてオーディオ画像がそれぞれ選択された場合の表示画像を示す図である。
【図４】本発明の一実施形態による車両用表示装置によって生成される表示画像を説明するための図であって、主画像としてオーディオ画像が、補完画像としてエアコン情報画像がそれぞれ選択された場合の表示画像を示す図である。
【図５】本発明の一実施形態による車両用表示装置によって生成される表示画像を説明するための図であって、主画像としてテレビ画像が、補完画像としてテレビ操作画像がそれぞれ選択された場合の表示画像を示す図である。
【図６】本発明の一実施形態による車両用表示装置において、ポインタ画像が表示される表示領域が、主表示領域及び補完表示領域間で切り替えられる様子を説明するための図である。
【図７】本発明の一実施形態による制御回路において、メイン制御部が実行する制御フローを示すフローチャートである。
【図８】本発明の一実施形態による制御回路において、メイン制御部が実行する制御フローを示すフローチャートである。
【発明を実施するための形態】
【００２５】
以下、本発明の一実施形態を図面に基づいて説明する。
【００２６】
図１は、本発明の一実施形態による車両用表示装置１００の構成を概略的に示す構成図である。車両用表示装置１００は、車両に搭載され、液晶ディスプレイ装置４０の表示画面４０ａに表示される図２等に示すような表示画像１を生成する装置である。表示画像１は、主画像２ａ及び補完画像２ｂを並列表示するための画像であって、車両の乗員に向けて設置される液晶ディスプレイ装置４０の表示画面４０ａに表示されることにより、当該表示画像１を視認する乗員に種々の情報を提供する。具体的に、図２〜図４に示すような表示画像１が、液晶ディスプレイ装置４０には表示される。
【００２７】
まず図１に基づいて、車両用表示装置１００の構成について説明する。車両用表示装置１００は、グローバルＣｏｎｔｒｏｌｌｅｒ  Ａｒｅａ  Ｎｅｔｗｏｒｋ（ＣＡＮ）８０及びローカルＣＡＮ８１に接続されている。車両用表示装置１００は、操作装置３０、ナビゲーション装置５０、制御回路２０、及び液晶ディスプレイ装置４０を備えている。尚、これらの装置等は、すべて車両に搭載されている。
【００２８】
グローバルＣＡＮ８０及びローカルＣＡＮ８１は、所定のプロトコルを用いて、車載された装置間での情報のやり取りを実現するための車載ネットワークシステムである。グローバルＣＡＮ８０及びローカルＣＡＮ８１は、二本の通信線からなるバスに、種々の装置が接続されることにより構築されている。グローバルＣＡＮ８０には、ナビゲーション装置５０に加えて、車両を統合的に制御する車両制御装置８２、車両に搭載された内燃機関を制御する機関制御装置８４、及び車室内の空調を制御するエアコン制御装置８６等が接続されている。グローバルＣＡＮ８０には、これらの装置８２，８４，８６等から、種々の車両情報が出力される。一方、ローカルＣＡＮ８１には、制御回路２０、ナビゲーション装置５０、及び操作装置３０等が接続されている。
【００２９】
操作装置３０は、運転席と助手席との間に位置するセンターコンソール上に配置され、主に車両の乗員である運転者によって操作される入力用のインターフェースである。操作装置３０には、表示画面４０ａ（図２等参照）におけるポインタ画像２ｃ（図２等参照）の表示位置を移動させるための移動要求がユーザ要求として入力される。加えて、操作装置３０には、ポインタ画像２ｃの特定の表示位置に関連付けられた表示態様へ当該表示画面４０ａの表示態様を変更するための変更要求が、ユーザ要求として入力される。操作装置３０は、ポインティングデバイス３１、アクチュエータ３３、及び複数の選択ボタン３２を有している。
【００３０】
ポインティングデバイス３１は、表示画像１に描画されたポインタ画像２ｃ（図２等参照）の位置を、主画像２ａ及び補完画像２ｂの表示領域内において移動させるための操作が入力される入力部である。ポインティングデバイス３１は、センターコンソールから突出する操作ノブであって、前後左右に可動するよう設置されている。運転者の操作によって動かされるポインティングデバイス３１の位置は、画面上のポインタ画像２ｃの位置と対応している。故に、ポインティングデバイス３１の位置が運転者によって前後左右に動かされることにより、液晶ディスプレイ装置４０の表示上におけるポインタ画像２ｃの位置は上下左右に移動する。
【００３１】
アクチュエータ３３は、運転者による操作の入力されるポインティングデバイス３１に対して、当該操作に対する反力を印加する。このアクチュエータ３３による反力によって、運転者は、操作に対するフィードバックを、ポインティングデバイス３１から触覚を通じて受ける。例えば、主表示領域４２及び補完表示領域４３の境界線４１ａに沿う内縁部４２ａ，４３ａにポインタ画像２ｃを位置させる移動要求がポインティングデバイス３１に入力された場合（図６参照）、アクチュエータ３３は、ポインティングデバイス３１に反力を印加する。これにより、ポインティングデバイス３１を操作する運転者は、境界線４１ａ（図６参照）に、触覚によって『壁』を知覚する。
【００３２】
選択ボタン３２は、例えば、表示画面４０ａの特定の表示位置に表示されるボタン画像２ｄ，２ｅ（図２等参照）を選択するためのものである。ポインタ画像２ｃ（図２等参照）をボタン画像２ｄ，２ｅと重ねたうえで選択ボタン３２を押圧する変更要求のための操作が操作装置３０に入力されることにより、当該ボタン画像２ｄ，２ｅと関連付けられた表示態様へ、表示画面４０ａの表示態様は変更される。
【００３３】
操作装置３０にユーザ要求として入力される移動要求及び変更要求等の操作の操作情報は、当該操作装置３０によってローカルＣＡＮ８１に出力され、ナビゲーション装置５０及び制御回路２０によって取得される。
【００３４】
ナビゲーション装置５０は、グローバルＣＡＮ８０、ローカルＣＡＮ８１、及びオーディオ装置５１、及び制御回路２０等と接続されている。ナビゲーション装置５０は、車両制御装置８２、機関制御装置８４、及びエアコン制御装置８６等からグローバルＣＡＮ８０に出力される車両情報を取得する。そしてナビゲーション装置５０は、取得した車両情報をローカルＣＡＮ８１に出力する。加えてナビゲーション装置５０は、操作装置３０によってローカルＣＡＮ８１に出力された操作情報を取得する。またナビゲーション装置５０は、地上波デジタル放送を受信する受信機、車両の現在位置を測位するグローバル・ポジショニング・システム（ＧＰＳ）受信機、方位を計測する電子コンパス等を備えている。
【００３５】
オーディオ装置５１は、ＣＤ（登録商標）及びＤＶＤ（登録商標）等の光学ディスク、又はハードディスクドライブ及びフラッシュメモリ等のストレージデバイスに記憶された音楽データ及び映像データ等を再生する装置である。オーディオ装置５１は、現在再生している楽曲に関する楽曲情報及び映像に関する映像情報等をナビゲーション装置５０に出力する。これら楽曲情報及び映像情報は、ナビゲーション装置５０に取得されるとともに、ナビゲーション装置５０からローカルＣＡＮ８１に出力される。尚、楽曲情報としては、例えば楽曲の曲名、アーティスト名、アルバム名、アルバムのアートワーク画像、再生時間等である。
【００３６】
以上の構成によるナビゲーション装置５０は、グローバルＣＡＮ８０から取得した車両情報と、ＧＰＳ受信機及び電子コンパス等による測位情報に基づいて、目的地への誘導を行うことにより乗員の運転操作を支援するナビゲーション画像３ａ（図２等参照）を生成する。加えてナビゲーション装置５０は、エアコン情報画像４ａ（図３参照）、オーディオ画像５ａ（図４参照）、受信機により受信した地上波デジタル放送によるテレビ画像９ａ（図５参照）等を生成する。尚、これら各画像３ａ，４ａ，９ａの詳細については、後述する。
【００３７】
ナビゲーション装置５０は、通信線によって制御回路２０と接続されている。ナビゲーション装置５０は、例えばＧｉｇａｂｉｔ  Ｖｉｄｅｏ  Ｉｎｔｅｒｆａｃｅ（ＧＶＩＦ）（登録商標）等の映像用の出力方式により、生成した各画像３ａ，４ａ，９ａのうちいずれか一つの映像信号を、制御回路２０に逐次出力する。
【００３８】
制御回路２０には、制御用マイコン２５及び描画用マイコン２６が実装されている。制御用マイコン２５は、各種の演算処理を行うプロセッサ、当該演算処理に用いられるプログラム及び車両に関する情報等が格納されたＲＯＭ又はフラッシュメモリ、及び演算の作業領域として機能するＲＡＭ等によって構成されている。加えて制御用マイコン２５は、ローカルＣＡＮ８１と通信可能な通信用インターフェース（図示しない）と接続されている。
【００３９】
描画用マイコン２６は、画像処理を行うプロセッサ、当該画像処理に用いられるプログラム及び各種の画像データが格納されたＲＯＭ又はフラッシュメモリ、及び演算の作業領域として機能するＲＡＭを有している。また描画用マイコン２６は、液晶ディスプレイ装置４０に表示画像１の映像信号を出力する映像出力インターフェース（図示しない）と接続されている。
【００４０】
以上の構成による制御回路２０は、メイン制御部２１、映像描画部２２、及び映像合成部２３を有している。
【００４１】
メイン制御部２１は、制御用マイコン２５の機能ブロックである。メイン制御部２１の機能は、制御用マイコン２５において所定のプログラムが実行されることにより、当該制御用マイコン２５によって果たされる。メイン制御部２１は、表示画像１において主画像２ａ及び補完画像２ｂとして表示される画像の種類を、ローカルＣＡＮ８１に出力された操作情報及び車両情報に基づいて決定する。そしてメイン制御部２１は、映像描画部２２及び映像合成部２３に対して、表示画像１を生成する指示を行う。加えてメイン制御部２１は、表示画像１においてポインタ画像２ｃ（図２等参照）を描画する指令を、映像描画部２２に対して指示する。
【００４２】
映像描画部２２及び映像合成部２３は、ともに描画用マイコン２６の機能ブロックである。映像描画部２２及び映像合成部２３の機能は、描画用マイコン２６において所定のプログラムが実行されることにより、当該描画用マイコン２６によって果たされる。
【００４３】
映像合成部２３は、各画像３ａ，４ａ，５ａ，９ａ（図２〜図５参照）のうちのいずれか一つの映像信号を、ナビゲーション装置５０から取得する。映像合成部２３は、ナビゲーション装置５０から入力された映像信号に基づく、ナビゲーション画像３ａ、エアコン情報画像４ａ、オーディオ画像５ａ、及びテレビ画像９ａのうちの一つを主画像２ａとして取得する。
【００４４】
映像合成部２３に取得される主画像２ａは、表示画像１よりも少ない画素数にて生成される。そこで映像描画部２２は、映像合成部２３によって取得される主画像２ａの画素数と、表示画像１の画素数との差を補完する補完画像２ｂを生成する。補完画像２ｂは、ローカルＣＡＮ８１を通じて取得した車両情報、楽曲情報、及び操作情報等に基づいて描画される。補完画像２ｂとして生成される画像は、例えば、オーディオ画像５ｂ（図２及び図３等参照）、エアコン情報画像４ｂ（図４参照）、テレビ操作画像９ｂ（図５参照）である。補完画像２ｂは、映像合成部２３に出力される。
【００４５】
映像合成部２３は、ナビゲーション装置５０から取得する映像信号に基づく主画像２ａと、映像描画部２２により描画される補完画像２ｂとを合成する。これにより映像合成部２３は、主画像２ａ及び補完画像２ｂが並列された表示画像１を生成する。そして表示画像１の映像信号は、例えばＬｏｗ  Ｖｏｌｔａｇｅ  Ｄｉｆｆｅｒｅｎｔｉａｌ  Ｓｉｇｎａｌｉｎｇ（ＬＶＤＳ）等の映像用の出力方式により、制御回路２０から液晶ディスプレイ装置４０に逐次出力される。以上により、制御回路２０は、表示画像１を液晶ディスプレイ装置４０の表示画面４０ａに表示させる。
【００４６】
液晶ディスプレイ装置４０は、車両室内のインスツルメントパネルの中央部等に配置される表示器であって、表示画面４０ａに表示画像１を表示することにより運転者に種々の情報を提供する。表示画面４０ａは、主画像２ａを表示する主表示領域４２、並びに補完画像２ｂを主画像２ａと並列表示する補完表示領域４３を有している。表示画面４０ａは、主表示領域４２並びに補完表示領域４３のうちアクティブ領域として選定される一方の表示領域の画像にポインタ画像２ｃ（図２等参照）を重畳して表示する。
【００４７】
液晶ディスプレイ装置４０は、液晶パネル４１及びバックライト４２を有している。液晶パネル４１の表示画面４０ａとなる部分には、例えば水平方向に１２８０の表示画素が、垂直方向に４８０の表示画素がそれぞれ配列されている。表示画面４０ａに配列される１２８０ドット×４８０ドットの表示画素のうち、８００ドット×４８０ドットの表示画素が主表示領域４２に属し、４８０ドット×４８０ドットの表示画素が補完表示領域４３に属する。バックライト４２は、液晶パネル４１を表示方向の裏面側から透過照明する。液晶ディスプレイ装置４０は、制御回路２０から出力された映像信号を取得し、液晶パネル４１の各表示画素を制御することにより、当該映像信号に基づく表示画像１を表示する。
【００４８】
図２〜図５は、以上の構成によって液晶ディスプレイ装置４０に表示される表示画像１の複数の例である。以下、図２〜図５及び図１に基づいて、液晶ディスプレイ装置４０に表示される表示画像１についてさらに詳細に説明する。
【００４９】
まず、表示画像１、主画像２ａ、及び補完画像２ｂの画素数について説明する。表示画像１の画素数は、液晶ディスプレイ装置４０の表示画素の数に対応しており、１２８０ドット×４８０ドットである。一方、主画像２ａとして用いられるナビゲーション画像３ａ、等の画素数は、表示画像１の画素数よりも少ない。主画像２ａの画素数は、８００ドット×４８０ドットである。上述した主表示領域４２に属する表示画素の数は、これら主画像２ａの画素数に応じて規定されている。
【００５０】
このように、ナビゲーション装置５０は、液晶ディスプレイ装置４０の表示画素の数に対して、少ない画素数の画像しか生成することができない。故に、主画像２ａと補完画像２ｂとを合成することにより、表示画像１の画素数と主画像２ａの画素数との差は補完される。補完画像２ｂは、表示画面の表示画素の数と、第一表示領域に属する表示画素の数との差を補完する４８０ドット×４８０ドットの画素数にて生成される。
【００５１】
図２の主画像２ａであるナビゲーション画像３ａは、車両の現在位置を示す地図画像を主体に構成されている。このナビゲーション画像３ａは、車両の現在地、進行方向、目的地までの所要時間等の情報を運転者に報知することができる。ナビゲーション画像３ａには、ポインタ画像２ｃ及びボタン画像２ｄが描画されている。ポインタ画像２ｃとボタン画像２ｄとを表示上において重ねつつ選択ボタン３２を押圧する変更要求のための操作が操作装置３０に入力された場合、ナビゲーション画像３ａに描画された地図画像の拡大又は縮小等の表示態様の変更がなされる。
【００５２】
また、図２の補完画像２ｂであるオーディオ画像５ｂは、ローカルＣＡＮ８１を通じて取得した楽曲情報に基づいて映像描画部２２によって生成されている。このオーディオ画像５ｂは、オーディオ装置５１によって現在再生されている楽曲のタイトル、アルバム名等を運転者に報知することができる。ポインタ画像２ｃとボタン画像２ｅとを表示上において重ねつつ選択ボタン３２を押圧する変更要求のための操作が操作装置３０に入力された場合、楽曲及び音量等が変更される。
【００５３】
図３の主画像２ａであるエアコン情報画像４ａは、エアコン制御装置８６からグローバルＣＡＮ８０に出力された車両情報に基づいて、ナビゲーション装置５０によって生成されている。エアコン情報画像４ａは、エアコンの現在の設定情報、例えば風量、風向、設定温度等の情報を運転者に報知することができる。エアコン情報画像４ａには、ポインタ画像２ｃ及びボタン画像２ｄが描画されている。ポインタ画像２ｃとボタン画像２ｄとを表示上において重ねつつ選択ボタン３２を押圧する変更要求のための操作が操作装置３０に入力された場合、エアコンの設定温度、風量等が変更される。また、図３の補完画像２ｂであるオーディオ画像５ｂは、図２において説明した補完画像２ｂと同一のものである。
【００５４】
図４の主画像２ａであるオーディオ画像５ａは、オーディオ装置５１から取得した楽曲情報に基づいてナビゲーション装置５０により生成されている。オーディオ画像５ａは、補完画像２ｂであるオーディオ画像５ａ（図２及び図３参照）と実質的に同一の情報を運転者に提供することができる。オーディオ画像５ａには、オーディオ装置５１によって現在再生されている楽曲の曲名、アルバム名等が表示されている。オーディオ画像５ａには、ポインタ画像２ｃ及びボタン画像２ｄが描画されている。ポインタ画像２ｃとボタン画像２ｄとを表示上において重ねつつ選択ボタン３２を押圧する変更要求のための操作が操作装置３０に入力された場合、楽曲及び音量等が変更される。
【００５５】
また、図４の補完画像２ｂであるエアコン情報画像４ｂは、グローバルＣＡＮ８０及びローカルＣＡＮ８１を通じて取得したエアコン制御装置８６からの車両情報に基づいて、映像描画部２２によって生成されている。このエアコン情報画像４ｂは、主画像２ａであるエアコン情報画像４ａ（図３参照）と実質的に同一の情報を運転者に提供することができる。エアコン情報画像４ｂには、エアコンの現在の設定情報、例えば風量、風向、設定温度等の情報が表示されている。ポインタ画像２ｃとボタン画像２ｅとを表示上において重ねつつ選択ボタン３２を押圧する変更要求のための操作が操作装置３０に入力された場合、エアコンの設定温度、風量等が変更される。
【００５６】
図５の主画像２ａであるテレビ画像９ａは、ナビゲーション装置５０によって生成されている。このテレビ画像９ａと並列される補完画像２ｂは、当該テレビ画像９ａを操作するためのテレビ操作画像９ｂである。テレビ操作画像９ｂは、ナビゲーション装置５０から取得した受信情報に基づいて映像描画部２２により生成される。テレビ操作画像９ｂには、テレビ画像９ａに表示されているテレビ放送の放送局名に加えて、受信する放送局を変更するための複数のボタン画像２ｅが表示されている。ポインタ画像２ｃとボタン画像２ｅとを表示上において重ねつつ選択ボタン３２を押圧する変更要求のための操作が操作装置３０に入力された場合、当該ボタン画像２ｅに対応した放送局からの放送にテレビ画像９ａは切り替わる。
【００５７】
尚、図２〜図５において明示している主画像２ａ及び補完画像２ｂの組み合わせばかりではなく、特に組み合わせに支障が生じなければ、明示していなくても例示した主画像２ａ及び補完画像２ｂを適宜組み合せることができる。加えて図２〜図５では、表示画像１において水平方向左側に主画像２ａを、右側に補完画像２ｂを配置しているが、これら主画像２ａ及び補完画像２ｂの位置は、車両の乗員の操作により又は自動的に入れ替えられてもよい。
【００５８】
次に、図６に示すように車両用表示装置１００では、主表示領域４２及び補完表示領域４３の境界線４１ａに沿う内縁部４２ａ又は内縁部４３ａにポインタ画像２ｃの表示位置を移動させることにより、アクティブ領域として選定される表示領域が切り替わる。以下、その作動の詳細を説明する。
【００５９】
図６（ａ）に示すように、補完画像２ｂを表示する補完表示領域４３がアクティブ領域として選定されており、当該補完画像２ｂにポインタ画像２ｃが重畳された状態とする。この状態下、補完表示領域４３において境界線４１ａに沿う内縁部４３ａに、ポインタ画像２ｃの表示位置を移動させ、当該内縁部４３ａに位置させる移動要求が操作装置３０（図１参照）へ入力される。すると、予め設定された設定時間よりも長くポインタ画像２ｃが内縁部４３ａに位置した場合、図６（ｂ）に示すように、主表示領域４２がアクティブ領域に切り替えられると共に、補完表示領域４３が非アクティブ領域に切り替えられる。
【００６０】
これにより、表示画面４０ａにおいて、ポインタ画像２ｃは、非アクティブ領域となった補完表示領域４３に表示される補完画像２ｂから消えるとともに、アクティブ領域となった主表示領域４２に表示される主画像２ａに現れる。そして、ポインタ画像２ｃは、操作装置３０（図１参照）に入力される移動要求に応じてアクティブ領域となった主表示領域４２を移動可能となる。また、アクティブ領域に表示されている主画像２ａの表示態様は、操作装置３０に入力される変更要求に応じて、ボタン画像２ｄに関連付けられた表示態様へ変更可能となる。
【００６１】
図６（ｃ）に示すように、主画像２ａを表示する主表示領域４２がアクティブ領域として選定されており、当該主画像２ａにポインタ画像２ｃが重畳された状態とする。この状態下、主表示領域４２において境界線４１ａに沿う内縁部４２ａに、ポインタ画像２ｃの表示位置を移動させ、当該内縁部４２ａに位置させる移動要求が操作装置３０（図１参照）へ入力される。すると、予め設定された設定時間よりも長くポインタ画像２ｃが内縁部４２ａに位置していると、図６（ｄ）に示すように、補完表示領域４３がアクティブ領域に切り替えられると共に、主表示領域４２が非アクティブ領域に切り替えられる。
【００６２】
これにより、表示画面４０ａにおいて、ポインタ画像２ｃは、非アクティブ領域となった主表示領域４２に表示される主画像２ａから消えるとともに、アクティブ領域となった補完表示領域４３に表示される補完画像２ｂに現れる。そして、ポインタ画像２ｃは、操作装置３０（図１参照）に入力される移動要求に応じてアクティブ領域となった補完表示領域４３を移動可能となる。また、アクティブ領域に表示されている補完画像２ｂの表示態様は、操作装置３０に入力される変更要求に応じて、ボタン画像２ｅに関連付けられた表示態様へ変更可能となる。
【００６３】
次に、車両の乗員によって操作装置３０に入力される移動要求により、アクティブ領域が主表示領域４２及び補完表示領域４３間で切替られる処理について、図７及び図８に基づいて説明する。図７及び図８において説明する処理は、車両の乗員が車両のアクセサリー（ＡＣＣ）電源をＯＮにすることにより、制御回路２０のメイン制御部２１によって実施される。メイン制御部２１による処理は、車両のＡＣＣ電源がＯＦＦにされるまで繰り返される。
【００６４】
ステップＳ１０１では、補完表示領域４３がアクティブ領域として選定されている旨の情報をローカルＣＡＮ８１に出力し、ステップＳ１０２に進む。ナビゲーション装置５０は、ローカルＣＡＮ８１を通じて、補完表示領域４３がアクティブ領域である旨の情報を取得することにより、非アクティブ領域である主表示領域４２に表示される例えばナビゲーション画像３ａに対するポインタ画像２ｃの重畳を行わない。
【００６５】
ステップＳ１０２では、補完画像２ｂにポインタ画像２ｃを描画する指令を映像描画部２２に出力し、Ｓ１０３に進む。映像描画部２２は、メイン制御部２１からの指令に基づいて、初期位置として、例えば補完画像２ｂの中央に、ポインタ画像２ｃを重畳する。これにより、液晶ディスプレイ装置４０の表示画面４０ａでは、補完表示領域４３にポインタ画像２ｃが表示される。
【００６６】
ステップＳ１０３では、補完表示領域４３において、主表示領域４２及び補完表示領域４３の境界線４１ａに沿う内縁部４３ａに、継続してポインタ画像２ｃが位置していたか否かを計るカウンタの値を初期化し、カウントを開始した後、ステップＳ１０４に進む。
【００６７】
ステップＳ１０４では、ローカルＣＡＮ８１を通じて、操作装置３０に入力された移動要求の操作による操作情報を取得し、ステップＳ１０５に進む。
【００６８】
ステップＳ１０５では、ステップＳ１０４で取得した操作情報に基づいて、ポインタ画像２ｃの重畳される位置を、映像描画部２２に出力し、ステップＳ１０６に進む。映像描画部２２は、メイン制御部２１からの指令に基づいて、補完画像２ｂにおいてポインタ画像２ｃが重畳される位置を変更する。これにより、液晶ディスプレイ装置４０の表示画面４０ａでは、操作装置３０に入力された移動要求の操作に応じて、ポインタ画像２ｃの表示位置が移動する。
【００６９】
ステップＳ１０６では、ステップＳ１０５によって移動したポインタ画像２ｃが、補完表示領域４３において境界線４１ａに沿った内縁部４３ａに位置しているかを判定する。ポインタ画像２ｃの表示位置が内縁部４３ａから外れていた場合、ステップＳ１０３に戻る。一方、ポインタ画像２ｃが内縁部４３ａに位置していた場合、ステップＳ１０７に進む。またポインタ画像２ｃが内縁部４３ａに位置していた場合には、アクチュエータ３３は、移動要求を入力する操作に対する反力を、ポインティングデバイス３１に対して印加する。
【００７０】
ステップＳ１０７では、ステップＳ１０３においてカウントを開始したカウントの値が、予め設定した設定時間である秒数の値を超えているか否かを判定する。カウンタの値が設定時間以下であった場合、ステップＳ１０４に戻る。一方、カウンタの値が設定時間を超えていた場合、ステップＳ１０９に進む。ここで、このステップＳ１０８において判定に用いられる設定時間は、適宜定められてよい。
【００７１】
ステップＳ１０８では、アクティブ領域を補完表示領域４３から主表示領域４２へ切り替えると共に、補完表示領域４３を非アクティブ領域に切り替えるため、主表示領域４２がアクティブ領域として選定されている旨の情報をローカルＣＡＮ８１に出力する。そして、ステップＳ１０９に進む。ナビゲーション装置５０は、ローカルＣＡＮ８１を通じて、主表示領域４２がアクティブ領域である旨の情報を取得することにより、主表示領域４２に表示される例えばナビゲーション画像３ａに対して、ポインタ画像２ｃの重畳を開始する。これにより、表示画面４０ａの主表示領域４２には、ポインタ画像２ｃが現れる。（図６（ｂ）参照）。
【００７２】
ステップＳ１０９では、ポインタ画像２ｃの描画を中止する指令を映像描画部２２に出力し、ステップＳ１１０に進む。映像描画部２２は、メイン制御部２１からの指令に基づいて、補完画像２ｂへのポインタ画像２ｃの重畳を中止する。これにより、液晶ディスプレイ装置４０の表示画面４０ａでは、補完表示領域４３からポインタ画像２ｃが消える（図６（ｂ）参照）。以上の処理により、アクティブ領域は、補完表示領域４３から主表示領域４２に切り替えられる。また、補完表示領域４３は、非アクティブ領域になる。
【００７３】
ステップＳ１１０では、主表示領域４２において、主表示領域４２及び補完表示領域４３の境界線４１ａに沿う内縁部４２ａに、継続してポインタ画像２ｃが位置していたか否かを計るカウンタの値を初期化し、カウントを開始した後、ステップＳ１１１に進む。
【００７４】
ステップＳ１１１では、ローカルＣＡＮ８１を通じて、操作装置３０に入力された移動要求の操作による操作情報を取得し、ステップＳ１１２に進む。このとき、ナビゲーション装置５０は、ローカルＣＡＮ８１を通じて取得した、操作装置３０に入力された移動要求の操作による操作情報に基づいて、ポインタ画像２ｃの重畳される位置を変更する。これにより、液晶ディスプレイ装置４０の表示画面４０ａでは、操作装置３０に入力された移動要求の操作に応じて、ポインタ画像２ｃの表示位置が移動する。
【００７５】
ステップＳ１１２では、ポインタ画像２ｃが、主表示領域４２において境界線４１ａに沿った内縁部４２ａに位置しているかを判定する。ポインタ画像２ｃの表示位置が内縁部４２ａから外れていた場合、ステップＳ１１０に戻る。一方、ポインタ画像２ｃが内縁部４２ａに位置していた場合、ステップＳ１１３に進む。またポインタ画像２ｃが内縁部４２ａに位置していた場合には、アクチュエータ３３は、移動要求を入力する操作に対する反力を、ポインティングデバイス３１に対して印加する。
【００７６】
ステップＳ１１３では、ステップＳ１１０においてカウントを開始したカウントの値が、予め設定した設定時間である秒数の値を超えているか否かを判定する。カウンタの値が設定時間以下であった場合、ステップＳ１１１に戻る。一方、カウンタの値が設定時間を超えていた場合、ステップＳ１１４に進む。ここで、このステップＳ１１３において判定に用いられる設定時間は、適宜定められてよい。
【００７７】
ステップＳ１１４では、アクティブ領域を主表示領域４２から補完表示領域４３へ切り替えると共に、主表示領域４２を非アクティブ領域に切り替えるため、補完表示領域４３がアクティブ領域として選定されている旨の情報をローカルＣＡＮ８１に出力する。そして、ステップＳ１１５に進む。ナビゲーション装置５０は、ローカルＣＡＮ８１を通じて、補完表示領域４３がアクティブ領域である旨の情報を取得することにより、主表示領域４２に表示される例えばナビゲーション画像３ａに対するポインタ画像２ｃの重畳を中止する。これにより、表示画面４０ａの主表示領域４２から、ポインタ画像２ｃが消える。（図６（ｄ）参照）。
【００７８】
ステップＳ１１５では、ポインタ画像２ｃの描画を開始する指令を映像描画部２２に出力し、ステップＳ１０３に戻る。映像描画部２２は、メイン制御部２１からの指令に基づいて、補完画像２ｂへのポインタ画像２ｃの重畳を開始する。これにより、液晶ディスプレイ装置４０の表示画面４０ａでは、補完表示領域４３にポインタ画像２ｃが現れる（図６（ｄ）参照）。以上、ステップＳ１１０からステップＳ１１６までの処理により、アクティブ領域は、主表示領域４２から補完表示領域４３に切り替えられる。また、主表示領域４２は、非アクティブ領域になる。
【００７９】
ここまで説明した本実施形態によれば、操作装置３０に入力される移動要求により、主表示領域４２及び補完表示領域４３のアクティブ領域又は非アクティブ領域に切り替えが行われる。そして、アクティブ領域においては、操作装置３０に入力される変更要求により、当該アクティブ領域に表示されている画像の表示態様を変更することができる。したがって、主画像２ａ及び補完画像２ｂがそれぞれ異なるナビゲーション装置５０及び映像描画部２２によって生成されても、車両用表示装置１００は、高い操作性を獲得することができる。
【００８０】
加えて、車両に搭載される車両用表示装置１００では、ポインタ画像２ｃを移動させるための車両の乗員による操作装置３０の操作は、車両の振動等に起因して、緻密に行われ難い。故に、アクティブ領域を切り替える意思が乗員に無いにもかかわらず、境界線４１ａに沿う内縁部４２ａ又は内縁部４３ａにポインタ画像２ｃの表示位置を移動させる移動要求が偶発的に操作装置３０へ入力される場合がある。
【００８１】
しかし本実施形態では、内縁部４２ａ又は内縁部４３ａに、予め設定される設定時間よりも長くポインタ画像２ｃを位置させなければ、メイン制御部２１は、アクティブ領域を主表示領域４２及び補完表示領域４３の一方から他方へ切り替えない。故に、内縁部４２ａ又は内縁部４３ａにポインタ画像２ｃの表示位置を移動させる移動要求が偶発的に操作装置３０に入力されても、アクティブ領域が切り替えられる事態は生じ難くなる。対して、アクティブ領域を切り替える意思を持って、設定時間よりも長く内縁部４２ａ又は内縁部４３ａにポインタ画像２ｃを位置させる移動要求を操作装置３０へ入力すれば、アクティブ領域は、主表示領域４２及び補完表示領域４３の一方から他方へ切り替わる。以上により、車両用表示装置１００は、アクティブ領域を切り替える旨の乗員の意思を忠実に反映したうえで、当該アクティブ領域の切り替えを行い得る。したがって、車両用表示装置１００の操作性はさらに向上する。
【００８２】
また本実施形態によれば、内縁部４２ａ又は内縁部４３ａにポインタ画像２ｃを位置させる移動要求が操作装置３０に入力されると、アクチュエータ３３は、ポインティングデバイス３１に対して、当該移動要求を入力する操作に対する反力を印加する。故に、アクティブ領域を切り替える意思が車両の乗員に有る場合にだけ、アクチュエータ３３によって印加される反力に抗して、内縁部４２ａ又は内縁部４３ａにポインタ画像２ｃを位置させる移動要求が入力され続ける。故に、車両用表示装置１００は、ポインタ画像２ｃの表示位置を切り替える旨の乗員の意思をさらに忠実に反映したうえで、アクティブ領域を切り替えることができる。したがって、車両用表示装置１００の操作性は、さらに高いものとなる。
【００８３】
さらに本実施形態によれば、主表示領域４２に属する表示画素の数は、主画像２ａの画素数に応じて規定される。そして、表示画面４０ａに配列される表示画素の数と、主表示領域４２に属する表示画素の数との差は、補完画像２ｂにより、補完される。故に、ナビゲーション装置５０によって生成され得る主画像２ａの画素数が、表示画面４０ａに配列される表示画素の数より少なくても、車両用表示装置１００は、当該主画像２ａを用いつつ、当該表示画面４０ａの表示画素をすべて活用することができる。
【００８４】
以上の構成では、表示画面４０ａに配列される表示画素の数を増加させた場合であっても、映像描画部２２によって生成される補完画像２ｂの画素数を調整することにより、主画像２ａの生成に関する既存のナビゲーション装置５０を流用することができる。故に、車両用表示装置１００の設計に係わる作業量を低減することができる。したがって、高い操作性を備えた車両用表示装置１００の提供が容易になる。
【００８５】
また加えて、ナビゲーション装置５０によって生成されるナビゲーション画像３ａは、非常に複雑な処理によって生成されている。具体的には、地図画像、ボタン画像２ｄ、ポインタ画像２ｃ等が描画されたレイヤを複数の重畳することにより、ナビゲーション画像３ａは生成される。故に、ナビゲーション画像３ａの画素数を向上させるには、ナビゲーション装置５０の処理能力の向上と、仕様変更のための多くの作業が発生し得る。そこで本実施形態のように、既存のナビゲーション装置５０によって生成されるナビゲーション画像３ａを用いる車両用表示装置１００とすることにより、表示画面４０ａの表示画素の増加に対応できる。このとき、当該装置５０の処理能力はそのままであってもよく、且つ仕様変更のための作業も省略され得る。このように、既存のナビゲーション装置５０において生成されるナビゲーション画像３ａを主画像２ａとして活用することにより、高い操作性を備えた車両用表示装置１００の提供がさらに容易になる。
【００８６】
尚、本実施形態において、主画像２ａが特許請求の範囲に記載の「第一画像」に相当し、補完画像２ｂが特許請求の範囲に記載の「第二画像」に相当し、メイン制御部２１が特許請求の範囲に記載の「切替手段」に相当し、映像描画部２２が特許請求の範囲に記載の「第二描画手段」に相当し、操作装置３０が特許請求の範囲に記載の「入力部」に相当し、アクチュエータ３３が特許請求の範囲に記載の「反力印加部」に相当し、主表示領域４２が特許請求の範囲に記載の「第一表示領域」に相当し、補完表示領域４３が特許請求の範囲に記載の「第二表示領域」に相当し、ナビゲーション装置５０が特許請求の範囲に記載の「第一描画手段」に相当する。
【００８７】
（他の実施形態）
以上、本発明の一実施形態について説明したが、本発明は、上記実施形態に限定して解釈されるものではなく、本発明の要旨を逸脱しない範囲内において種々の実施形態及び組み合わせに適用することができる。
【００８８】
上記実施形態では、ポインタ画像２ｃを、主表示領域４２の内縁部４２ａ又は補完表示領域４３の内縁部４３ａに予め設定された設定時間よりも長く位置させることにより、アクティブ領域の切り替えが行われた。上述したように、この設定時間は、適宜変更されてよい。また、主表示領域４２の内縁部４２ａ又は補完表示領域４３の内縁部４３ａにポインタ画像２ｃを移動させる入力が操作装置３０になされた場合に、車両用表示装置は、アクティブ領域を主表示領域４２及び補完表示領域４３の一方から他方へ切り替えてもよい。
【００８９】
上記実施形態では、主画像２ａ又は補完画像２ｂとして、ナビゲーション画像、エアコン情報画像、オーディオ画像等を例に説明した。しかし、主画像２ａ及び補完画像２ｂとして、情報を乗員に報知するための種々の画像が用いられてよい。例えば、車両周辺の障害物を検知するソナーが搭載されていれば、当該ソナーによる検出情報を運転者に報知する画像が、主画像２ａ又は補完画像２ｂとして、表示画面４０ａに表示されてもよい。又は、オーディオ装置５１に携帯型の音楽プレーヤーや、携帯電話等の通信機器が接続されている場合、これらの機器を、操作装置３０により操作するための操作画像が、主画像２ａ又は補完画像２ｂとして、表示画面４０ａに表示されてもよい。
【００９０】
上記実施形態では、操作装置３０は、ポインティングデバイス３１に対して反力を印加するアクチュエータ３３を有していた。しかし、反力を印加するアクチュエータ３３に相当する構成を有しない形態の操作装置であってもよい。加えて、ポインティングデバイスとして、レバーを倒す操作によりポインタ画像の移動要求を入力するジョイスティック、平面状のセンサをなぞる操作によりポインタ画像の移動要求を入力するタッチパッド、円柱状のダイヤルを回転する操作によりポインタ画像の移動要求を入力するダイヤル機構等を用いることができる。また、液晶パネル４１の表示方向前面に配置した透明板状の圧力センサ又は静電容量センサを用いた所謂タッチパネル方式の操作装置が用いられる形態の車両用表示装置あってもよい。
【００９１】
上記実施形態では、表示画面４０ａの表示画素の数のうち、主表示領域４２に割り当てられる表示画素の数は、ナビゲーション画像３ａ等の主画像２ａの画素数に対応するよう規定されていた。しかし、主表示領域４２に属する表示画素の数は、主画像２ａの画素数により多くてもよく、又は少なくてもよい。例えば、主表示領域４２に４８０ドット×４８０ドットの表示画素が割り当てられ、補完表示領域４３に８００ドット×４８０ドットの表示画素が割り当てられていてもよい。
【００９２】
上記実施形態では、制御回路２０は、制御用マイコン２５及び描画用マイコン２６という二つのマイコンの機能ブロックとして、メイン制御部２１、映像描画部２２、及び映像合成部２３を有していた。しかし、制御回路２０の構成は、上記実施形態に限定されない。例えば、メイン制御部２１、映像描画部２２、及び映像合成部２３は、制御回路に実装された一つのマイコンの機能ブロックであってもよい。又は、プログラムの実行によらないアナログ回路によって、メイン制御部２１、映像描画部２２、及び映像合成部２３が制御回路に構成されていてもよい。
【００９３】
上記実施形態では、グローバルＣＡＮ８０に出力された車両情報は、ナビゲーション装置５０により一旦取得された後、当該ナビゲーション装置５０からローカルＣＡＮ８１に出力されることにより、制御回路２０に取得されていた。しかし、制御回路２０は、グローバルＣＡＮ８０と直接接続されて、ローカルＣＡＮ８１を通じてではなく、グローバルＣＡＮ８０を通じで車両情報を取得してもよい。
【００９４】
上記実施形態では、液晶ディスプレイ装置４０は、１２８０ドット×４８０ドットの表示画素を備える表示装置であった。しかし、液晶ディスプレイ装置の表示画素の数は、上記実施形態に限定されない。車両用表示装置は、さらに表示画素の数が多い液晶ディスプレイ装置を備えていてもよい。また、車両用表示装置は、液晶ディスプレイ装置に替えて、プラズマディスプレイパネルや有機ＥＬディスプレイを用いた表示装置を備えていてもよい。
【符号の説明】
【００９５】
１  表示画像、２ａ  主画像（第一画像）、２ｂ  補完画像（第二画像）、２ｃ  ポインタ画像、２ｄ，２ｅ  ボタン画像、３ａ  ナビゲーション画像（第一画像）、４ａ  エアコン情報画像（第一画像）、４ｂ  エアコン情報画像（第二画像）、５ａ  オーディオ画像（第一画像）、５ｂ  オーディオ画像（第二画像）、９ａ  テレビ画像（第一画像）、９ｂ  テレビ操作画像（第二画像）、２０  制御回路、２１  メイン制御部（切替手段）、２２  映像描画部（第二描画手段）、２３  映像合成部、２５  制御用マイコン、２６  描画用マイコン、３０  操作装置（入力部）、３１  ポインティングデバイス、３２  選択ボタン、３３  アクチュエータ（反力印加部）、４０  液晶ディスプレイ装置、４０ａ  表示画面、４１  液晶パネル、４１ａ  境界線、４２  主表示領域、４３  補完表示領域、４２ａ，４３ａ  内縁部、４５  バックライト、５０  ナビゲーション装置（第一描画手段）、５１  オーディオ装置、８０  グローバルＣＡＮ、８１  ローカルＣＡＮ、８２  車両制御装置、８４  機関制御装置、８６  エアコン制御装置、１００  車両用表示装置
【図１】
0005168322.tif 000002
【図２】
0005168322.tif 000003
【図３】
0005168322.tif 000004
【図４】
0005168322.tif 000005
【図５】
0005168322.tif 000006
【図６】
0005168322.tif 000007
【図７】
0005168322.tif 000008
【図８】
0005168322.tif 000009